(57)【要約】【課題】複数のリモート操作器が出力する信号光の検出信号に応じて制御を行う映像表示装置において，従来の一般的なリモート操作器を採用しても，信号光の出力元に応じて異なる制御を行うことができること。【解決手段】複数の位置に配置され信号光を受光してその検出信号を出力する複数の受光素子を備え，制御部が，映像表示部により予め定められた特定画面（マルチ画面等）が表示される状態において，複数の受光素子のうちの１つ以上により予め定められた種類の検出信号が出力された際に，その検出信号の出力元に応じて異なる制御を行う。【選択図】図３
2009124284.tif 000002
【特許請求の範囲】
【請求項１】
複数のリモート操作器から出力される信号光の受光に応じて，映像表示部における表示画面に関連する制御を行う映像表示装置であって，
複数の位置に配置され前記信号光を受光して該信号光に応じた検出信号を出力する複数の信号光検出手段と，
前記映像表示部により予め定められた特定画面が表示される状態において，複数の前記信号光検出手段のうちの１つ以上により予め定められた種類の前記検出信号が出力された際に，該検出信号の出力元に応じて異なる制御を行う特定モード制御手段と，
を具備してなることを特徴とする映像表示装置。
【請求項２】
前記映像表示部の表示領域が区分された複数の単位表示領域と複数の前記信号光検出手段とが予め対応付けられており，前記特定画面が，複数の前記単位表示領域ごとに画面が表示されるマルチ画面である場合に，
前記特定モード制御手段が，前記映像表示部により前記マルチ画面が表示される状態において，複数の前記信号光検出手段のうちの１つ以上により予め定められた種類の前記検出信号が出力された際に，該検出信号の出力元に対応付けられた前記単位表示領域の画面とそれ以外の前記単位表示領域の画面とで異なる制御を行うものである請求項１に記載の映像表示装置。
【請求項３】
前記特定モード制御手段が，前記検出信号の出力元に対応付けられた前記単位表示領域の画面について前記検出信号の内容に応じた制御を実行し，他の前記単位表示領域の画面について前記検出信号に反応しない制御を行うものである請求項２に記載の映像表示装置。
【請求項４】
複数の前記信号光検出手段の一部のみにより前記特定画面の表示状態への移行を指示する特定画面移行用の検出信号が出力されたことを検知する特定画面移行信号検出手段を具備し，
前記特定モード制御手段が，前記特定画面移行信号検出手段により前記特定画面移行用の検出信号の出力が検知された後に，複数の前記信号光検出手段のうちの１つ以上により前記検出信号が出力された際に，予め定められた種類の前記検出信号について，該検出信号の出力元が前記特定画面移行用の検出信号の出力元であるか否かによって異なる制御を行うものである請求項１に記載の映像表示装置。
【請求項５】
前記特定モード制御手段が，前記検出信号の出力元が前記特定画面移行用の検出信号の出力元である場合に前記検出信号の内容に応じた処理を実行し，その他の場合に前記検出信号に反応しない制御を行うものである請求項４に記載の映像表示装置。
【発明の詳細な説明】
【技術分野】
【０００１】
本発明は，映像表示部の周囲における複数の位置に配置されリモート操作器から出力される信号光を受光して該信号光に応じた検出信号を出力する複数の信号光検出手段を備えた映像表示装置に関するものである。
【背景技術】
【０００２】
従来，テレビジョン受像機等の映像表示装置において，リモート操作器（いわゆるリモコン）から送信される赤外光の変調光である信号光は，その前面の所定位置に配置された信号光検出センサ（いわゆるリモコン受光素子）により，受光及び光電変換されるとともにその信号光の変調内容に応じた検出信号（電気信号）が生成される。そして，マイクロコンピュータ等からなる制御部が，信号光検出センサの検出信号に応じた制御，例えば，チャンネル選局制御や音量調節制御などを実行する。映像表示装置においては，その前面における中央から縁部にかけての大部分が映像表示部（例えば，液晶表示パネル等）で占められるため，前記信号光検出センサは，映像表示部の周囲（例えば，下端近傍や上端近傍等）に配置されている。
また，大型の映像表示装置（サイズの大きな映像表示部を備えた映像表示装置）においては，信号光検出センサが映像表示部の周囲の１箇所にしか存在しない場合，比較的近くでリモート操作器が操作されると，信号光の広がり角度の制約から，信号光が信号光検出センサによって受光されない（信号光が信号光検出センサに到達しない）事態が生じ得る。そこで，大型の映像表示装置においては，その映像表示部の周囲の複数箇所に信号光検出センサが設けられ，制御部が，それら複数の信号光検出センサで得られる複数の検出信号の合成信号や，論理和信号に対応した処理を実行する場合がある。これにより，信号光の受光範囲が広がるため，映像表示装置本体の近くでリモート操作器が操作された場合でも，少なくともいずれかの信号光検出センサで信号光を検出して正常に処理を実行できる。
【０００３】
一方，映像表示装置は，その映像表示部に複数の画面を並べて表示するマルチ画面表示機能を備えるものがある。特に，大型の映像表示装置は，サイズの大きな映像表示部を様々な使用形態で有効活用するために，マルチ画面表示機能を備えることが一般的である。
ところで，マルチ画面表示機能を備えた大型の映像表示装置は，複数の表示画面がそれぞれ異なるユーザ（視聴者）によって視聴されることが想定される。そのため，映像表示装置が，複数の表示画面それぞれに対応した複数のリモート操作器から信号光を受光し，その信号光の出力元（リモート操作器）に応じて異なる制御を行う機能を備えれば，ユーザの利便性が高まり好適である。
例えば，映像表示部の表示領域を左右に２分割して２つの画面（第１の画面及び第２の画面）を表示する状態において，第１のリモート操作器に対する操作によって第１の表示画面にメニュー選択画面を表示させているときに，第２のリモート操作器に対してメニュー選択とは全く関係のない画面切替操作（チャンネル選局操作等）が行われたという使用状況を考える。
上記使用状況において，映像表示装置の制御部が，前記第２のリモート操作器が出力する信号光の検出信号に応じて，前記第１の画面について画面切替制御を実行すると，前記第１のリモート操作器を操作するユーザは，意に反して表示画面が突然切り替わるため，何が起こったのかが把握できずに混乱してしまう。
一方，上記使用状況において，映像表示装置の制御部が，前記第１の画面の表示制御に関し，前記第１のリモート操作器が出力する信号光の検出信号に応じた制御を実行する一方で，前記第２のリモート操作器が出力する信号光の検出信号に対して反応しなければ（無視すれば），上記のようなユーザの混乱が生じず好適である。
これに対し，特許文献１には，複数の画面を並べて表示するマルチ画面表示機能を備えた映像表示装置において，複数のリモート操作器から個別のＩＤ情報を含む信号光を信号光検出センサにより受光し，制御部が，その信号光検出センサの検出信号からＩＤ情報を抽出することにより，複数のリモート操作器と複数の表示画面とをそれぞれ対応付けて制御する技術について示されている。この特許文献１に示される技術によれば，上記使用状況においても，上記のようなユーザの混乱を回避し得る。
【特許文献１】特開２０００−２７０２３８号公報
【発明の開示】
【発明が解決しようとする課題】
【０００４】
しかしながら，従来の一般的なリモート操作器は，信号光にＩＤ情報を追加して含めるという機能を備えていない。そのため，特許文献１に示される技術は，既存のリモート操作器を有効活用できないという問題点があった。
一方，映像表示装置が，既存のリモート操作器を活用し，複数のリモート操作器が出力する信号光の検出信号を区別することなくその検出信号に応じた制御を行うと，ユーザの意に反した制御が行われてしまうという問題点があった。
従って，本発明は上記事情に鑑みてなされたものであり，その目的とするところは，複数のリモート操作器が出力する信号光の検出信号に応じて制御を行う映像表示装置において，従来の一般的なリモート操作器を採用しても，信号光の出力元（リモート操作器）に応じて異なる制御を行うことができる映像表示装置を提供することにある。
【課題を解決するための手段】
【０００５】
上記目的を達成するために本発明に係る映像表示装置は，複数のリモート操作器から出力される信号光の受光に応じて，映像表示部における表示画面に関連する制御を行うものであり，次の（１）及び（２）に示す各構成要素を備えている。
（１）複数の位置に配置され前記信号光を受光して該信号光に応じた検出信号を出力する複数の信号光検出手段。
（２）前記映像表示部により予め定められた特定画面が表示される状態において，複数の前記信号光検出手段のうちの１つ以上により予め定められた種類の前記検出信号が出力された際に，その検出信号の出力元に応じて異なる制御を行う特定モード制御手段。
本発明に係る映像表示装置は，複数のリモート操作器から信号光が出力される場合に，信号光が複数の前記信号光検出手段（前記信号光検出センサに相当）のいずれにより受光されたかの識別，即ち，信号光の受光ルートの識別によって信号光の出力元（リモート操作器）を識別し，これにより，信号光の出力元に応じて異なる制御を行う。そして，本発明の実施の際に用いられる複数の前記リモート操作器は，出力する信号光に個別の識別情報を追加して含める機能を備える必要がなく，従来の一般的なリモート操作器と同等の機能を備えれば十分である。
【０００６】
また，本発明において，前記映像表示部の表示領域が区分された複数の単位表示領域と複数の前記信号光検出手段とが予め対応付けられており，前記特定画面が，複数の前記単位表示領域ごとに画面が表示されるマルチ画面である場合が考えられる。この場合，前記特定モード制御手段が，前記映像表示部により前記マルチ画面が表示される状態において，複数の前記信号光検出手段のうちの１つ以上により予め定められた種類の前記検出信号が出力された際に，その検出信号の出力元に対応付けられた前記単位表示領域の画面とそれ以外の前記単位表示領域の画面とで異なる制御を行うことが考えられる。
これにより，従来の一般的なリモート操作器を用いながら，実質的に，複数のリモート操作器と前記マルチ画面における個々の画面とを対応付けた制御を行うことができる。その結果，前記マルチ画面における一部の画面を見ながらリモート操作器を操作するユーザが，その一部の画面について，他のユーザによるリモート操作器の操作に応じて意に反した制御が実行されて混乱するという不都合を回避できる。
より具体的には，前記特定モード制御手段が，前記検出信号の出力元に対応付けられた前記単位表示領域の画面について前記検出信号の内容に応じた制御を実行し，他の前記単位表示領域の画面について前記検出信号に反応しない制御を行うことが考えられる。
これにより，例えば，前記特定モード制御手段は，映像表示部の表示領域が左右に２分割された２つの画面（第１の画面及び第２の画面）を表示する前記マルチ画面の表示状態において，第１のリモート操作器からの信号光が映像表示部の左半分の表示領域の近くに配置された前記信号光検出手段を通じて検出された場合には，その検出信号の内容に応じた処理（メニュー選択処理等）を前記第１の画面についてのみ実行し，第２のリモート操作器からの信号光が映像表示部の右半分の表示領域の近くに配置された前記信号光検出手段を通じて検出された場合には，その検出信号の内容に応じた処理（チャンネル選局処理等）を前記第２の画面についてのみ実行するというような制御行うことができる。
【０００７】
一方，本発明に係る映像表示装置が，複数の前記信号光検出手段の一部のみにより前記特定画面の表示状態への移行を指示する特定画面移行用の検出信号が出力されたことを検知する特定画面移行信号検出手段を具備することが考えられる。この場合，前記特定モード制御手段が，前記特定画面移行信号検出手段により前記特定画面移行用の検出信号の出力が検知された後に，複数の前記信号光検出手段のうちの１つ以上により前記検出信号が出力された際に，予め定められた種類の前記検出信号について，その検出信号の出力元が前記特定画面移行用の検出信号の出力元であるか否かによって異なる制御を行う。
これにより，従来の一般的なリモート操作器を用いながら，実質的に，信号光の出力元（リモート操作器）に応じて異なる制御を行うことができる。
より具体的には，前記特定モード制御手段が，前記検出信号の出力元が前記特定画面移行用の検出信号の出力元である場合に前記検出信号の内容に応じた処理を実行し，その他の場合に前記検出信号に反応しない制御を行うことが考えられる。
これにより，例えば，２人のユーザのうちの一方のユーザが，まず，手持ちのリモート操作器を複数の前記信号光検出手段のいずれか（例えば，左側に配置された信号光検出手段）に向けて所定の選択メニュー画面への移行操作を行い，その後もリモート操作器を同じ信号光検出手段に向けた状態で操作を行えば，前記特定モード制御手段は，前記一方のユーザの意図に沿った制御を実行する。また，その間に，他方のユーザが，手持ちのリモート操作器を他の信号光検出手段（例えば，右側に配置された信号光検出手段）に向けて前記一方のユーザの意図しない操作（例えば，チャンネル選局操作等）を行っても，前記特定モード制御手段は，その操作に反応しない制御を行うことができる。その結果，前記一方のユーザが，意に反した制御が実行されることによって混乱するという不都合を回避できる。
【発明の効果】
【０００８】
本発明によれば，複数のリモート操作器が出力する信号光の検出信号に応じて制御を行う映像表示装置において，従来の一般的なリモート操作器を採用しても，信号光の出力元（リモート操作器）に応じて異なる制御を行うことができる。その結果，特定の画面を見ながらリモート操作器を操作するユーザが，その特定の画面について，他のユーザによるリモート操作器の操作に応じて意に反した制御が実行されて混乱するという不都合を回避できる。
【発明を実施するための最良の形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係る映像表示装置Ｘの概略斜視図，図２は映像表示装置Ｘの主要部の概略構成を表すブロック図，図３は映像表示装置Ｘにおける第１の信号光対応制御の手順を表すフローチャート，図４は映像表示装置Ｘにおける第２の信号光対応制御の手順を表すフローチャートである。
【００１０】
まず，図１及び図２を参照しつつ，本発明の実施形態に係る映像表示装置Ｘの構成について説明する。
映像表示装置Ｘは，例えば，５０インチ以上の大型の映像表示部１（液晶ディスプレイ等）を備えたテレビジョン受像機等であり，複数の外部の操作器４（リモート操作器の一例）から送信（出力）される赤外光の変調光である信号光を，複数の受光素子１０，２０により受光し，その信号光の変調内容に応じた処理を実行するものである。操作器４が出力する信号光は，赤外光が所定のキャリア周波数で強度変調された光である。
前記映像表示部１は，入力される映像信号に基づく映像を表示する液晶ディスプレイ等である。
前記操作器４は，複数の操作キー（操作部）が設けられており，操作されたキーに応じた強度変調がなされた赤外光である信号光を出力（送信）する。また，複数の操作器４は全て同じものである。
また，２つの受光素子１０，２０（以下，一方を第１受光素子２０，他方を第２受光素子２０という）は，前記操作器４から出力される信号光（赤外光の変調光）を受光し，その信号光をフォトトランジスタ等の光電変換素子によって電気信号に変換するとともに，その電気信号に復調処理を施すことによって受光した信号光の変調内容に応じた検出信号（電気信号）を生成して出力するデバイスである。以下，第１受光素子１０の検出信号を第１検出信号Ｓｇ１，第２受光素子２０の検出信号を第２検出信号Ｓｇ２という。
図１に示すように，映像表示装置Ｘの前面は，中央から縁部にかけての大部分が大型の映像表示部１で占められ，２つの受光素子１０，２０は，映像表示部１の周囲の筐体２における異なる位置の内部に配置されている。本実施形態では，第１受光素子１０が映像表示部１の右半分に近い位置に配置され，第２受光素子２０が，映像表示部１の左半分に近い位置に配置されている。
【００１１】
また，図２に示すように，映像表示装置Ｘは，さらに，制御部３０及び映像処理部５を備えている。
前記制御部３０は，前記第１受光素子１０から出力される前記第１検出信号Ｓｇ１及び前記第２受光素子２０から出力される前記第２検出信号Ｓｇ２の内容に応じた制御を行うものである。この制御部３０は，所定のプログラムを実行することによって各種演算処理を行うＭＰＵ３１と，そのＭＰＵ３１によって実行されるプログラムを記憶するＲＯＭ３２と，前記ＭＰＵ３１が演算処理を実行する過程で参照或いは記録されるデータが記憶されるＥＥＰＲＯＭ３３とを備えている。
そして，制御部３０は，２つの受光素子１０，２０から出力される第１検出信号Ｓｇ１及び第２検出信号Ｓｇ２を個別に入力し，それら２つの検出信号Ｓｇ１，Ｓｇ２をデコードし，デコード情報に応じた処理（例えば，チャンネル選局処理や音量調節処理など）を実行する。
【００１２】
また，前記映像処理部５は，複数の映像信号を入力し，それら映像信号に所定の信号処理を施すことによって前記映像表示部１による表示用の映像信号を生成及び出力する回路である。前記映像表示部１は，前記映像処理部５から出力される映像信号に基づく映像を表示する。
例えば，前記映像処理部５は，前記制御部３０からの制御指令に従って，以下の（Ａ１）〜（Ａ４）に示す処理を実行する。
（Ａ１）入力された複数の映像信号の中から１つの映像信号を選択して前記映像表示部１に出力する処理。
（Ａ２）入力された複数の映像信号から選択した２つの映像信号を合成することによって２画面表示用映像信号を生成及び出力する処理。
（Ａ３）各種の選択メニュー画面の表示に用いられる映像信号を生成及び出力する処理。
（Ａ４）入力された複数の映像信号から選択した１つの映像信号と，前記選択メニュー画面の表示用の映像信号とを合成することによって２画面表示用映像信号を生成及び出力する処理。
【００１３】
図１に示すように，前記映像表示部１は，前記２画面表示用映像信号に基づいて，その表示領域が左右に区分された２つの単位表示領域ごとに，２つの映像信号それぞれに対応する画面（右側の画面ｇ１及び左側の画面ｇ２）を表示する。このようにして前記映像表示部１により２つの画面が並べて表示される状態を，以下，２画面表示状態という。
また，前記制御部３０は，前記受光素子１０，２０を通じて入力された検出信号Ｓｇ１又はＳｇ２が，前記２画面表示状態への移行指示を表す信号である場合に，前記映像処理部５を制御することにより，前記映像表示部１の表示状態を前記２画面表示状態に移行させる。
同様に，前記制御部３０は，前記受光素子１０，２０を通じて入力された検出信号Ｓｇ１又はＳｇ２が，前記２画面表示状態の解除指示を表す信号である場合に，前記映像処理部５を制御することにより，前記映像表示部１の表示状態を前記２画面表示状態から１つの映像信号に基づく画面が表示される状態（以下，１画面表示状態という）に移行させる。
また，映像表示装置Ｘにおいては，２つの前記単位表示領域（２つの画面ｇ１，ｇ２）と２つの前記受光素子１０，２０とが予め対応付けられている。具体的には，右側の前記単位表示領域（右側の画面ｇ１）と右側の前記第１受光素子１０とが対応づけられており，左側の前記単位表示領域（左側の画面ｇ２）と左側の前記第２受光素子２０とが対応づけられている。その対応関係を表す情報は，前記制御部３０が参照可能な記憶部（前記ＲＯＭ３２等）に予め記憶されている。
【００１４】
また，前記映像処理部５は，前記制御部３０からの制御指令に従って，各種の選択メニュー画面の表示に用いられる映像信号を生成及び出力する処理も実行する。前記選択メニュー画面としては，例えば，放送受信の地域選択・設定画面，選局番号と放送チャンネルとの対応関係を設定するチャンネル設定画面，表示映像の画質（明るさ，色合い等）の設定画面，番組表に基づいてチャンネル選局を行うＥＰＧ選局画面等が考えられる。
なお，映像表示装置Ｘは，一般的な映像表示装置（例えば，テレビジョン受像機）が備える不図示の他の構成要素も備えているが，ここではその説明を省略する。
【００１５】
次に，図３に示すフローチャートを参照しつつ，前記制御部３０による第１の信号光対応制御の手順について説明する。前記制御部３０は，この第１の信号光対応制御を，前記映像表示部１の表示状態が前記２画面表示状態（前記特定画面の表示状態の一例）であるときに実行する。なお，以下に示すＳ１，Ｓ２，…は，処理手順（ステップ）の識別符号を表す。
まず，制御部３０は，２つの受光素子１０，２０の一方又は両方から新たな検出信号Ｓｇ１，Ｓｇ２（以下，新規検出信号という）の出力がなされたか否かを随時判別する（Ｓ１）。
そして，制御部３０は，前記新規検出信号が出力されたことを検知すると，その検出信号の出力元の識別情報である信号出力素子番号を記憶部（前記ＭＰＵ３１の主記憶領域又は前記ＥＥＰＲＯＭ３３）に記録する（Ｓ２）。
続いて，制御部３０は，前記新規検出信号にデコード処理を施すことにより，前記新規検出信号の内容を表すコード情報（前記操作器４で操作された操作キーに対応する情報，以下，新規コード情報という）を抽出する（Ｓ３）。
【００１６】
さらに，制御部３０は，予めＲＯＭ３２に記憶されたコード判別情報に基づいて，前記新規コード情報が，予め定められた特定のコード情報であるか否かを判別する（Ｓ４）。ここで，前記コード判別情報は，その時点で前記映像表示部１に表示されている画面の種類ごとに，前記新規検出信号の出力元を判別した上で対応する制御を実行すべき前記コード情報がリストアップされた情報である。ここで，前記特定のコード情報としては，例えば，選局チャンネルを指定するコード情報（選局するチャンネル番号やチャンネルアップもしくはチャンネルダウンのコードを表す情報），所定の選択メニュー画面への移行を指示するコード情報等，前記２画面表示状態における個々の画面について個別に実行可能な制御に関するコード情報である。一方，前記特定のコード情報ではないものとしては，例えば，電源ＯＦＦ（通電ＯＦＦ）を指示するコード情報等が考えられる。
そして，制御部３０は，前記新規コード情報が前記特定のコード情報ではない（前記新規検出信号が予め定められた特定の種類の信号ではない）と判別した場合，前記新規検出信号の出力元を区別することなく，前記新規コード情報に対応した制御を実行し（Ｓ５），その後，処理を前述したステップＳ１へ戻す。
【００１７】
一方，制御部３０は，ステップＳ４において，前記新規コード情報が前記特定のコード情報であると判別した場合，ステップＳ２での記録情報を参照することにより，前記新規検出信号の出力元が前記第１受光素子１０であるのか前記第２受光素子２０であるのか（前記信号出力素子番号が１番であるか２番であるか）を判別する（Ｓ６）。
ここで，制御部３０は，前記新規検出信号の出力元が前記第１受光素子１０であると判別した場合，前記２画面表示状態における右側の画面ｇ１（右画面）についてのみ，前記新規コード情報に応じた制御（チャンネル選局等）を実行し（Ｓ７），その後，処理を前述したステップＳ１へ戻す。
同様に，制御部３０は，前記新規検出信号の出力元が前記第２受光素子２０であると判別した場合，前記２画面表示状態における左側の画面ｇ２（左画面）についてのみ，前記新規コード情報に応じた制御（チャンネル選局等）を実行し（Ｓ８），その後，処理を前述したステップＳ１へ戻す。
以上に示した制御部３０によるステップＳ６〜Ｓ８の処理は，２画面表示状態（前記特定画面の表示状態及び前記マルチ画面の表示状態の一例）において，前記新規検出信号の出力元に対応付けられた前記単位表示領域の画面については，前記新規検出信号の内容に応じた制御を実行（Ｓ７又はＳ８）し，他の前記単位表示領域の画面については，前記新規検出信号に反応しない制御を行っていることを表している。このように，制御部３０は，映像表示部１による２画面表示の状態（予め定められた特定画面が表示される状態の一例）において，２つの受光素子１０，２０のうちの１つ以上により予め定められた種類の前記検出信号（チャンネル選局のコードや選択メニュー画面への移行を指示するコードを含む信号等）が出力された際に，その検出信号の出力元に応じて異なる制御を行う（Ｓ７，Ｓ８：前記特定モード制御手段の一例）。
なお，制御部３０によるステップＳ６の判別は，前述した２つの前記単位表示領域（２つの画面ｇ１，ｇ２）と２つの前記受光素子１０，２０との間の対応付けに基づいて行われる。
【００１８】
以上に示したように，映像表示装置Ｘにおける前記制御部３０は，複数の操作器４から信号光が出力される場合に，その信号光が複数の受光素子１０，２０（前記信号光検出センサに相当）のいずれにより受光されたかの識別，即ち，信号光の受光ルートの識別によって信号光の出力元（操作器４）を識別し，これにより，信号光の出力元に応じて異なる制御を行う（Ｓ６〜Ｓ８）。そして，複数の前記操作器４は，出力する信号光に個別の識別情報を追加して含める機能を備える必要がなく，従来の一般的なリモート操作器と同等の機能を備えれば十分である。
映像表示装置Ｘにおいては，従来の一般的なリモート操作器である前記操作器４を用いながら，前記制御部３０が，実質的に，複数の操作器４と前記２画面表示状態における個々の画面とを対応付けた制御を行う（Ｓ６〜Ｓ８）。その結果，前記２画面表示状態における一方の画面を見ながら操作器４を操作するユーザが，その一方の画面について，他のユーザによる操作器４の操作に応じて意に反した制御が実行されて混乱するという不都合を回避できる。
【００１９】
次に，図４に示すフローチャートを参照しつつ，前記制御部３０による第２の信号光対応制御の手順について説明する。前記制御部３０は，この第２の信号光対応制御を，前記映像表示部１の表示状態が前記１画面表示状態であるときに実行する。なお，以下に示すＳ１１，Ｓ１２，…は，処理手順（ステップ）の識別符号を表す。
まず，制御部３０は，当該映像表示装置Ｘの起動時に，以降の処理手順の判別に用いられる変数である制御モードを通常モードに設定する（Ｓ１１）。なお，前記制御モードには，通常モードと後述する特殊モードとのいずれかが設定され得る。
次に，制御部３０は，２つの受光素子１０，２０の一方又は両方から新たな前記検出信号Ｓｇ１，Ｓｇ２（前記新規検出信号）の出力がなされたか否かを随時判別する（Ｓ１２）。
そして，制御部３０は，前記新規検出信号が出力されたことを検知すると，その検出信号の出力元の識別情報である信号出力素子番号を記憶部（前記ＭＰＵ３１の主記憶領域又は前記ＥＥＰＲＯＭ３３）に記録する（Ｓ１３）。
続いて，制御部３０は，前記新規検出信号にデコード処理を施すことにより，前記新規検出信号の内容を表すコード情報（前記新規コード情報）を抽出する（Ｓ３）。
【００２０】
次に，制御部３０は，その時点の制御モードが前記通常モードであるか前記特殊モードであるかを判別する（Ｓ１５）。
そして，制御部３０は，その時点の制御モードが前記通常モードである（前記特殊モードではない）と判別した場合，２つの前記受光素子１０，２０のうちの一方のみにより前記新規検出信号が出力されている状態（ステップＳ１３で記録された前記信号出力素子番号が１つである）であり，かつ，前記新規コード情報が予め定められた特殊画面を前記映像表示部１によって表示する状態へ移行することを指示するコード（以下，特殊画面移行コードという）を表す情報である（前記特定画面移行用の検出信号が出力された状態であることの一例）という条件（以下，特殊モード移行条件という）を満たしているか否かを判別する（Ｓ１６，前記特定画面移行信号検出手段の一例）。
ここで，前記特殊画面の例としては，前記選択メニュー画面が考えられる。この場合，前記特殊画面移行コードがエンコードされた前記信号光は，例えば，前記操作器４において，所定の選択メニュー表示キーが操作（押下）されたときに前記操作器４から出力される。
そして，制御部３０は，前記特殊モード移行条件を満たしていない状態であると判別すると，前記新規検出信号の出力元を区別することなく，前記新規コード情報に対応した制御を実行し（Ｓ１７），その後，処理を前述したステップＳ１２へ戻す。
【００２１】
一方，制御部３０は，前記特殊モード移行条件を満たしている状態であると判別すると，制御モードを前記特殊モードに設定するとともに，前記新規検出信号の出力元の番号（ステップＳ１３で記録した番号と同じ番号）を，表示対象となる前記特殊画面と対応付ける前記受光素子１０又は２０の識別情報として記憶部（前記ＭＰＵ３１の主記憶領域又は前記ＥＥＰＲＯＭ３３）に記録する（Ｓ１８）。以下，このステップＳ１８で記録される番号を，特殊画面対応素子番号という。
続いて，制御部３０は，前記新規コード情報に対応した制御，即ち，表示の指示がなされた前記特殊画面を前記映像表示部１に表示させる制御を実行し（Ｓ１９），その後，処理を前述したステップＳ１２へ戻す。
【００２２】
一方，制御部３０は，ステップＳ１５において，その時点の制御モードが前記特殊モードである（即ち，前記特殊画面の表示状態である）と判別した場合，前記新規コード情報が，その時点で前記映像表示部１に表示されている前記特殊画面の表示を解除することを指示するコード（以下，特殊画面解除コードという）を表す情報であるか否かを判別する（Ｓ２０）。
ここで，前記特殊画面が前記選択メニュー画面である場合，前記特殊画面解除コードがエンコードされた前記信号光は，例えば，前記操作器４において，所定の取消キーが操作（押下）されたときに前記操作器４から出力される。
そして，制御部３０は，前記新規コード情報が前記特殊画面解除コードの情報であると判別した場合，前記新規検出信号の出力元を区別することなく，前記新規コード情報に対応した制御，即ち，前記特殊画面の表示を解除してその特殊画面の表示前に表示されていた画面を前記映像表示部１に表示させる制御を実行し（Ｓ２１），その後，処理を前述したステップＳ１２へ戻す。
【００２３】
また，制御部３０は，制御モードが前記特殊モードであるときに，前記新規コード情報が前記特殊画面解除コードの情報ではないと判別した場合，さらに，前記新規検出信号の出力元と，その時点で表示中の前記特殊画面への移行の際に前記特殊画面移行コードを含む前記検出信号を出力した前記受光素子１０又は２０とが一致するか否かを判別する（Ｓ２２）。なお，この判別は，ステップＳ１３で記録された前記信号出力素子番号とステップＳ１８で記録された前記特殊画面対応素子番号との照合によって行われる。
そして，制御部３０は，ステップＳ２２において，前記新規検出信号の出力元と前記特殊画面移行コードを含む検出信号の出力元とが一致すると判別した場合に，前記新規コード情報（前記新規検出信号の内容）に応じた処理を実行し（Ｓ２３），その後，処理を前述したステップＳ１２へ戻す。また，制御部３０は，前記新規検出信号の出力元と前記特殊画面移行コードを含む検出信号の出力元とが一致しない場合には，前記新規検出信号に反応することなく，そのまま処理を前述したステップＳ１２へ戻す。
なお，前記新規検出信号の出力元と前記特殊画面移行コードを含む検出信号の出力元とが一致するということは，前記新規検出信号の出力元が，その時点で表示中の前記特殊画面（前記選択メニュー画面がその一例）に対応する前記受光素子１０又は２０であることを意味する。
例えば，制御部３０は，前記新規検出信号の出力元がその時点で表示中の前記選択メニュー画面（前記特殊画面の一例）に対応する前記受光素子１０又は２０であり，前記新規コード情報が前記選択メニュー画面におけるカーソル位置の移動（即ち，選択項目の変更）を指示するコードや，項目選択の確定を指示するコードを表す情報である場合に，ステップＳ２３において，それらのコードに対応した処理（カーソル移動処理や項目選択の確定処理）を実行する。
【００２４】
以上に示したように，制御部３０は，２つの前記受光素子１０，２０の一方のみにより前記特殊画面（前記特定画面の一例）の表示状態への移行を指示する検出信号（前記特殊画面移行コードを含む検出信号）が出力されたことを検知する（Ｓ１６）。さらに，制御部３０は，その検知の後に，２つの前記受光素子１０，２０のうちの１つ以上により前記検出信号が出力された際に（Ｓ１２のＹ），その検出信号が前記特殊画面解除コードを含まない信号（予め定められた種類の前記検出信号の一例）であれば（Ｓ２０のＮ），その検出信号の出力元が，前記特殊画面への移行を指示する前記検出信号の出力元であるか否か（ステップＳ２２の判別結果が一致であるか否か）によって異なる制御を行う。
このように，映像表示装置Ｘにおいては，従来の一般的なリモート操作器である前記操作器４を用いながら，前記制御部３０が，実質的に，信号光の出力元（操作器４）に応じて異なる制御を行う。
これにより，例えば，２人のユーザのうちの一方のユーザが，まず，手持ちの操作器４を右側の前記第１受光素子１０に向けて所定の選択メニュー画面への移行操作を行い，その後も操作器４を前記第１受光素子１０に向けた状態で操作を行えば，制御部３０は，前記一方のユーザの意図に沿った制御を実行する（Ｓ２３）。また，その間に，他方のユーザが，手持ちの操作器４を左側の前記第２受光素子２０に向けて前記一方のユーザの意図しない操作（例えば，チャンネル選局操作等）を行っても，制御部３０は，その操作に反応しない制御を行う（Ｓ２２のＮ→Ｓ１２）。その結果，前記一方のユーザが，前記他方のユーザの操作に応じて意に反した制御が実行されることによって混乱するという不都合を回避できる。
【００２５】
以上に示した実施形態では，マルチ画面表示の例として２画面表示の例を示したが，映像表示装置Ｘが，３画面以上のマルチ画面表示機能を備えることも考えられる。この場合，映像表示装置Ｘには，マルチ画面表示状態における各画面に対応づけられた３つ以上の受光素子（前記受光素子１０，２０と同じもの）が設けられる。例えば，映像表示装置Ｘが，前記映像表示部１の表示領域を上下左右の４つに区分して４画面表示を行う場合，４つの前記受光素子が，映像表示部１の４つの角部の付記それぞれに配置されることが考えられる。
また，マルチ画面表示状態における各画面に対して１つの前記受光素子が設けられることの他，マルチ画面表示状態における各画面に対して複数の前記受光素子が設けられた例も考えられる。
また，図３に示した処理の例では，制御部３０が，前記検出信号の出力元に対応付けられた前記単位表示領域の画面について前記検出信号の内容に応じた制御を実行し，他の前記単位表示領域の画面について前記検出信号に反応しない制御を行う（Ｓ６〜Ｓ８）例を示したが，他の例も考えられる。
例えば，制御部３０が，前記検出信号の出力元に対応付けられた前記単位表示領域の画面について前記検出信号の内容に応じた制御を実行し，他の前記単位表示領域の画面について所定のエラーメッセージを表示させる制御を行うこと等も考えられる。
同様に，図４に示した処理の例では，制御部３０が，前記検出信号の出力元が前記特殊画面移行コードを含む検出信号の出力元である場合に前記検出信号の内容に応じた処理を実行し，その他の場合に前記検出信号に反応しない制御を行う（Ｓ２２，Ｓ２３）例を示したが，他の例も考えられる。
例えば，制御部３０が，前記検出信号の出力元が前記特殊画面移行コードを含む検出信号の出力元である場合に前記検出信号の内容に応じた処理を実行し，その他の場合に前記映像表示部１に所定のエラーメッセージを表示させる制御を行うこと等も考えられる。
【産業上の利用可能性】
【００２６】
本発明は，リモート操作器から出力される信号光に応じた処理を実行する映像表示装置に利用可能である。
【図面の簡単な説明】
【００２７】
【図１】本発明の実施形態に係る映像表示装置Ｘの概略斜視図。
【図２】映像表示装置Ｘの主要部の概略構成を表すブロック図。
【図３】映像表示装置Ｘにおける第１の信号光対応制御の手順を表すフローチャート。
【図４】映像表示装置Ｘにおける第２の信号光対応制御の手順を表すフローチャート。
【符号の説明】
【００２８】
Ｘ  ：映像表示装置
１  ：映像表示部
２  ：筐体
４  ：操作器（リモート操作器）
５  ：映像処理部
１０：第１受光素子
２０：第２受光素子
３０：制御部
３１：ＭＰＵ
３２：ＲＯＭ
３３：ＥＥＰＲＯＭ
Ｓ１，Ｓ２，…：処理手順（ステップ）
【図１】
2009124284.tif 000003
【図２】
2009124284.tif 000004
【図３】
2009124284.tif 000005
【図４】
2009124284.tif 000006